(57)【要約】      （修正有）【課題】プライバシー保護を重視した見守りシステムを提供する。【解決手段】温度情報取得が可能で、さらに、本人の特定が難しく、プライバシー保護に効果的な熱画像カメラ１ａ、１ｂ、１ｃ、１ｘを利用する。これにより、被見守り者にも受け入れられやすく、画像データをより積極的に評価・分析できるようになる。これにより、従来の認知症検出目的から、認知症予防を目的とした被見守り者の「生活の質」の維持・改善を、より効果的に行える。【選択図】図１
2020021123.tif 000002
【特許請求の範囲】
【請求項１】
熱画像カメラや分析・評価自動プログラムによるプライバシー保護を重視した見守りシステム。
【請求項２】
被見守り者の熱画像解析をリアルタイムで行い、体温や室温、または、行動の異常検出をタイムリーに行うことで、緊急対応を可能にしたシームレスな見守りシステム。
【請求項３】
非接触で温度データを取得できる熱画像カメラを用いることで、被見守り者の負担を減らし、被見守り者の装着を前提にしない見守りシステム。
【請求項４】
設置するのは、熱画像カメラのみであるため、非常にシンプルであり、プログラムも単純化されるため、納得のいく総合的な費用を提案できる見守りシステム。
【請求項５】
本案で利用される動体検知プログラムは、市場でもかなり利用されているため、その検出精度にかなりの信頼性を持てる見守りシステム。
【請求項６】
大量の被見守り者の行動パターンを分析することで、従来の認知症検出目的から認知症予防目的に重点を置いた提案型見守りシステム。
【発明の詳細な説明】
【技術分野】
【０００１】
本発明は、生活に不安を抱えた人（以下、「被見守り者」とする。）を、熱画像カメラを利用して見守りを行う熱画像地域見守りシステムである。熱画像カメラを被見守り者宅に複数設置することで、それらから得られる温度や画像から、室温や被見守り者の体温の温度情報とその動体情報を得る。その時、異常が検出（熱中症や転倒など）されれば、緊急通知を見守りする人（以下、「見守り者」とする。）に送信する。さらに、得られた情報を数値化し、他の被見守り者のものと合わせて、総合的に該当する被見守り者の「生活の質」の評価とその維持・改善に関する提案を導き出すことによって、従来の事後的な認知症検出目的から、認知症予防目的に重きを置いた見守りシステムである。
【背景技術】
【０００２】
熱画像カメラによる温度測定。
カメラや各種センサーにより見守りシステム。
【先行技術文献】
【特許文献】
【０００３】
【特許文献１】特開２０１７−１６８０９８
【特許文献２】特開２０１７−０９７４４５
【発明の概要】
【発明が解決しようとする課題】
【０００４】
現行の見守りシステムのカメラによる画像は、見守り者が、センサー等の異常を発見した時にその確認をするため、一時的に利用されるものが多いが、それでも、プライバシー保護の観点から、被見守り者になかなか受入れられないのが現状である。
【０００５】
また、センサーには、人感センサーや温度センサー等、非常多くの種類のセンサーがあり、被見守り者の行動を、分析・評価するために、プログラムが複雑化し、また、その生活に合わせたプログラムのチューニングが必要になる場合(プログラムの複雑化)がある。さらに、見守りの質が、そのセンサーの設置数に大きく依存してしまうため、手厚い見守りを提供しようとすればする程、見守りシステムの費用が増加してしまうという問題がある。
【０００６】
さらに、センサーには、人体に装着する接触型のウェアラブルセンサーが含まれるが、それによる見守りは、あくまで、被見守り者が、装着してくれることが前提となるため、認知症が発症し始めた被見守り者等には、その装着の確実性が期待できないため、実際には、見守りシステムを設置しても、その機能を十分に活かしきれない事態が生じることが予想される。
【課題を解決するための手段】
【０００７】
カメラから得られる画像には、非常に豊富で有用な情報を得ることができるが、プライバシー保護の観点から、その利用は、大きく制限されているのが現状であった。本発明は、温度情報取得が可能で、さらに、本人の特定が難しく、プライバシー保護に効果的な熱画像カメラを利用することで問題を解決するものである。これにより、被見守り者にも受け入れられやすく、画像データをより積極的に評価・分析できるようになる。これにより、従来の認知症検出目的から、認知症予防を目的とした被見守り者の「生活の質」の維持・改善を、より効果的に行えることが期待される。
【０００８】
まず、設置するのは、複数の熱画像カメラのみであり、多種の他のセンサーの設置は一切必要ない。そして、被見守り者に装着等の負担をかけることなく、非接触で体温を監視できることが大きな利点である。
【０００９】
そして、その画像から被見守り者の行動を分析するために使用される動体検知プログラムは、市場でもかなり確立されたプログラムである。被見守り者の習慣や設置場所などを意識する必要がなく、被見守り者個人に対応するチューニング作業も不要である。
【００１０】
また、ほぼリアルタイムでプログラムが熱画像をモニターするため、異常温度（室温や体温）や異常動作（転倒や行動停止等）を、人の判断を介すことなく検出し、自動的に見守り者にその状況を通知してくれるので、目視による見落としはなく、見守り者のタイムリーな緊急対応を支援することができる。
【００１１】
さらに、得られた温度データや動作データは、数値化され、温度トレンド及び行動パターンサーバーに蓄積される。これらのデータは、全く個人を特定できるものでないため、多くの他の被見守り者のデータと併せて収集・管理できるため、ビックデータとして利用可能になる。
【００１２】
そして、大量に得られた多くの被見守り者のデータを使い、総合的に分析・評価を行うことにより、該当する被見守り者に対する有効でかつ適切な「生活の質」の維持・改善に関する提案等を導き出すことができる。この提案等は、定期的に見守り者に通知されるので、被見守り者が、どのような状況であるかを事前に知った上で、効果的に見守り業務を行うことを可能にする。
【発明の効果】
【００１３】
本案は、プライバシー保護の観点からも、被見守り者に受け入れられやすく、そのリアルタイムな生活を分析・評価した上で、認知症予防を目的とした被見守り者の「生活の質」の維持・改善の提案を行うものなので、近親者のみならず、地域全体が、この活動に取り組める環境が容易に構築できる。そのため、多くの方々にこのシステムの利用が広がることにより、増加する医療費や介護費に歯止めをかけると共に、介護業務の効率化及び有効性を高め、さらに、その従事者の業務負担を軽減することも期待できる。
【図面の簡単な説明】
【００１４】
【図１】１ａ、１ｂ、１ｃ、１ｘを被見守り者の行動頻度の多い部屋に複数設置する。１ａ、１ｂ、１ｃ、１ｘから得られた熱画像データは、２でプライバシー保護されて、インターネットを介して、分析評価システムの３に蓄積される。３は、４により、異常が検出されたら、緊急情報を、見守り者の７ａ又は７ｂに通知する。４により得られた温度トレンド及び行動パターンは数値化されて、５に蓄積される。次に蓄積された５は、他の被見守り者の５と併せて、総合的に６で分析・評価され、該当被見守り者の「生活の質」の評価とその質の維持・改善に関する提案導き出し、定期的（定期報告）に見守り者の７ａ又は７ｂに通知する。７ａ又は７ｂから、緊急情報や定期報告を受け取った見守り者は、それらの情報を参考に被見守り者と面談し、適切な対処を行う。
【発明を実施するための形態】
【００１５】
１ａ、１ｂ、１ｃ、１ｘを被見守り者の行動頻度の多い部屋に複数設置する。
【００１６】
１ａ、１ｂ、１ｃ、１ｘから得られた熱画像データは、２を通して、リアルタイムで、分析・評価システムに送信され、３に蓄積される。また、２は、ネットワークから外部の第三者が侵入することを防止する機能も有する。
【００１７】
３のデータは、４により、温度データや行動パターンをして数値化され、５に蓄積される。
さらに、４により、被見守り者の体温や行動に関し、異常が検出された場合は、緊急情報を、見守り者の７ａ又は７ｂに通知する。
【００１８】
５に蓄積される温度データは、具体的には、室温や被見守り者の体温であり、トレンドデータとして蓄積される。
【００１９】
また、５に蓄積される行動パターンは、具体的には、以下のような数値化が考えられる。１）睡眠の回数及び睡眠総時間  ２）睡眠時の体動数  ３）食事の回数及び食事にかける時間  ４）トイレの回数及びトイレにかける時間  ５）リラックスの回数及びリラックスにかける時間  ６）着替えにかける時間  ７）立上り回数  ８）カメラ外行動回数及びカメラ外行動総時間  等
【００２０】
蓄積された５は、他の被見守り者の５を含めて、総合的に６で分析・評価され、該当被見守り者の「生活の質」の評価とその質の維持・改善に関する提案を導き出す。その提案には以下のものが考えられる。  １）家事代行サービス  ２）傾聴サービス  ３）鍼・灸・マッサージサービス  ４）外出支援サービス  ５）通所など支援サービス  ６）配食・飲料配達サービス  ７）寝具乾燥サービス  ８）住環境の改善（バリアフリー）  ９）地域コミュニティーの紹介・参画  等
【００２１】
「生活の質」の評価とその質の維持・改善に関する提案は、見守り者の７ａ又は７ｂに通知される。
【００２２】
緊急情報を受け取った見守り者は、被見守り者に対し、緊急対応を行う。また、定期報告（「生活の質」の評価とその維持・改善に関する提案等）に基づき、被見守り者と面談を行い、被見守り者の意思を尊重した見守り活動を行う。
【符号の説明】
【００２３】
１ａ、１ｂ、１ｃ、１ｘ  熱画像カメラ
２  通信機器
３  熱画像データサーバー
４  動体検知プログラム
５  温度トレンド及び行動パターンサーバー
６  温度トレンド及び行動パターン分析・評価プログラム
７ａ、７ｂ  情報受信機器
８  プライバシー保護領域
【図１】
2020021123.tif 000003